(57)【要約】【課題】外出先で作成した電子データなどを容易にプリントすることができ、且つ受け付けた電子データの形式を整えたりするリライトサービスをも容易に提供することができるネットサービスシステムを提供する。【解決手段】複数のサービス提供ポイントに無線ＬＡＮ（ローカル・エリア・ネットワーク）アクセスポイント１１，２１を具備するＬＡＮ１２，２２を配置すると共にこれら各ＬＡＮ１２，２２から公衆回線又は専用回線３１を介して接続可能な会員受付センタ４０を少なくとも１つ設け、所定の会員５０Ａ，５０Ｂに対してのみ各サービス提供ポイントの無線ＬＡＮ５１Ａ，５１Ｂを介して前記ＬＡＮへの接続を許容してサービスを提供するネットサービスシステムであって、前記会員受付センタ４０は、前記ＬＡＮ１２，２２に接続したプリンタ１３，２３を介してプリントサービスを提供するプリントサービス提供手段４２と、原稿を受け付けて入力及びリライトサービスを提供するリライトサービス提供手段４３とを具備する。【選択図】        図１
2004171112.tif 000002
【特許請求の範囲】
【請求項１】
複数のサービス提供ポイントに無線ＬＡＮ（ローカル・エリア・ネットワーク）アクセスポイントを具備するＬＡＮを配置すると共にこれら各ＬＡＮから公衆回線又は専用回線を介して接続可能な会員受付センタを少なくとも１つ設け、所定の会員に対してのみ各サービス提供ポイントの無線ＬＡＮを介して前記ＬＡＮへの接続を許容してサービスを提供するネットサービスシステムであって、前記会員受付センタは、前記ＬＡＮに接続したプリンタを介してプリントサービスを提供するプリントサービス提供手段と、原稿を受け付けて入力及びリライトサービスを提供するリライトサービス提供手段とを具備することを特徴とするネットサービスシステム。
【請求項２】
請求項１において、前記会員受付センタと各ＬＡＮとの接続をＶＰＮ（バーチャル・プライベート・ネットワーク）を介して行い、且つ前記ＬＡＮを介してインターネットへの接続サービスを提供することを特徴とするネットサービスシステム。
【請求項３】
請求項１又は２において、前記リライトサービス提供手段は、下書き原稿電子データ、画像、音声の何れかを介して前記原稿を受け付け、入力及びリライトしたリライト原稿を電子データとして出力すると共に前記プリンタを介して出力することを特徴とするネットサービスシステム。
【請求項４】
請求項１又は２において、前記会員受付センタは、さらに、データ格納領域を提供するデータ格納サービス提供手段を具備することを特徴とするネットサービスシステム。
【発明の詳細な説明】
【０００１】
【発明の属する技術分野】
本発明は、ユーザが外出先で、例えば、カフェ、ホテル、ファーストフードなどのサービス提供ポイントにおいてプリントサービスなどのサービスを受けることができるネットサービスシステムに関する。
【０００２】
【従来の技術】
近年、外出先で携帯端末やノートパソコンに搭載された無線ＬＡＮを介してインターネットへ接続できるアクセスポイント、いわゆるホットスポットと呼ばれるカフェやホテルなどが数多く存在するが、データの印刷を簡単に行えるサービスは提供されていない。
【０００３】
従来、プリントサービスを提供するものとしては、プリントサービスを提供する店舗が知られているが、このような店舗は、持ち込んだ電子データを出力するサービスを提供するものである（例えば、特許文献１等参照）。
【０００４】
また、ユーザが携帯端末から、例えば、自社の構内ＬＡＮのファイルサーバに格納されたファイルをプリント出力できるシステムが提案されている（特許文献２）。
【０００５】
【特許文献１】
特開２００２−３２４７２号公報  （段落［０００１］〜［０００７］等）
【特許文献２】
特開２００２−２７８８７０号公報  （特許請求の範囲等）
【０００６】
【発明が解決しようとする課題】
しかしながら、従来、出力するデータを持ち込むプリンタ設置店舗には、プリンタの他、プリンタを制御するパソコン及び出力するデータの種類毎のアプリケーションソフトが必要であるという問題があった。
【０００７】
また、上述した特許文献２で提案されているシステムでは、出力するデータをインターネットメールでやり取りするなど、セキュリティ上の問題があり、自ら持参しているデータを容易に出力するためのものではない。
【０００８】
本発明はこのような事情に鑑み、外出先で作成した電子データなどを容易にプリントすることができ、且つ受け付けた電子データの形式を整えたりするリライトサービスをも容易に提供することができるネットサービスシステムを提供することを課題とする。
【０００９】
【課題を解決するための手段】
前記課題を解決する本発明の第１の態様は、複数のサービス提供ポイントに無線ＬＡＮ（ローカル・エリア・ネットワーク）アクセスポイントを具備するＬＡＮを配置すると共にこれら各ＬＡＮから公衆回線又は専用回線を介して接続可能な会員受付センタを少なくとも１つ設け、所定の会員に対してのみ各サービス提供ポイントの無線ＬＡＮを介して前記ＬＡＮへの接続を許容してサービスを提供するネットサービスシステムであって、前記会員受付センタは、前記ＬＡＮに接続したプリンタを介してプリントサービスを提供するプリントサービス提供手段と、原稿を受け付けて入力及びリライトサービスを提供するリライトサービス提供手段とを具備することを特徴とするネットサービスシステムにある。
【００１０】
本発明の第２の態様は、第１の態様において、前記会員受付センタと各ＬＡＮとの接続をＶＰＮ（バーチャル・プライベート・ネットワーク）を介して行い、且つ前記ＬＡＮを介してインターネットへの接続サービスを提供することを特徴とするネットサービスシステムにある。
【００１１】
本発明の第３の態様は、第１又は２の態様において、前記リライトサービス提供手段は、下書き原稿電子データ、画像、音声の何れかを介して前記原稿を受け付け、入力及びリライトしたリライト原稿を電子データとして出力すると共に前記プリンタを介して出力することを特徴とするネットサービスシステムにある。
【００１２】
本発明の第４の態様は、第１又は２の態様において、前記会員受付センタは、さらに、データ格納領域を提供するデータ格納サービス提供手段を具備することを特徴とするネットサービスシステムにある。
【００１３】
【発明の実施の形態】
以下、本発明を一実施形態に基づいて詳細に説明する。
【００１４】
図１は、一実施形態に係るネットサービスシステムを概念的に表したものである。図１に示すように、プリントサービスやリライトサービスを提供するサービス提供ポイント１０及び２０は、それぞれカフェやファーストフード店、又はホテルなどに開設され、それぞれ無線ＬＡＮターミナル１１及び２１を備えたＬＡＮ１２及び２２を具備し、ＬＡＮ１２及び２２にはプリンタ１３及び２３が少なくとも一台接続されている。また、必要に応じて、例えば、サービス提供ポイント２０にはＦＡＸ２４も設置されている。これらのＬＡＮ１２及び２２は、セキュリティーが確保された公衆回線又は専用回線、本実施形態では、それぞれＶＰＮ３１を介して会員受付センタ４０と接続されている。なお、ＬＡＮ１２及び２２は、インターネット３２へも接続可能となっているが、インターネット３２からの接続は許容していない。
【００１５】
ここで、会員受付センタ４０は、サービス提供ポイント１０及び２０で代表される多数のサービス提供ポイントと接続されて、各サービス接続ポイントで、会員に対してプリントサービスやリライトサービスを提供する機能を果たしている。なお、ここで、会員とは予め会員登録したユーザであり、会員登録により、サービス接続ポイント１０及び２０等でサービスを受けるためのユーザＩＤ及びパスワードを保有している。
【００１６】
会員受付センタ４０は、具体的には、会員からの接続を受け付ける受付手段４１と、プリントサービスを提供するプリントサービス提供手段４２と、原稿の形式を整え、原稿入力などのリライトサービスを提供するリライトサービス提供手段４３と、所定のデータ格納スペースを提供するデータ格納サービス提供手段４４とを具備する。
【００１７】
以下、会員がどのようにサービスを受けるかの手順を示しながらさらに詳細に説明する。
【００１８】
会員であるユーザ５０Ａや５０Ｂがサービスを受けるためには、無線ＬＡＮ５１Ａ及び５１Ｂを具備するノートパソコンなど携帯端末を介して受付手段４１へアクセスし、ユーザＩＤ及びパスワードを入力してログインする。
【００１９】
次に、例えば、ユーザ５０Ａがプリントサービスを要求する場合には、プリントしたい電子データをアップロードしてその旨を要求する。電子データを受信したプリントサービス提供手段４２は、ＬＡＮ１２に接続されているプリンタ１３へプリントデータを送信し、印刷物をユーザ５０Ａへ提供する。勿論、印刷物を所定の場所へ届けるようにしてもよい。なお、このプリントサービスへの対価は登録されている会員情報に基づいて、例えば、月締めで請求する。
【００２０】
また、ユーザ５０Ａは、例えば、外出先で作成した書類をプリントしたい場合など、形式を整えていない電子データを保有している場合には、形式を整えたり、例えば、イラスト等を挿入した迫力ある文章へ変換したりするリライトを受けることができる。この場合には、電子データをアップロードしてその旨を要求すると、リライトサービス提供手段４３がデータを整形し、プリントサービス提供手段４２がプリントデータにして出力する。
【００２１】
なお、プリントサービス提供手段４２及びリライトサービス提供手段４３は、コンピュータで動作するソフトウエアにより機能するものでもよいが、特にリライトサービス提供手段４３は、オペレータが作業するものであってもよい。
【００２２】
さらに、リライトサービス提供手段４３は、手書きの原稿の入力サービスも提供するものであり、例えば、サービス提供ポイント２０に接続するユーザ５０Ｂは、電子データのプリントサービスを受けられる他、例えば、ＦＡＸ２４から手書き原稿を送信して入力及びプリントサービスの提供を受けることができる。なお、リライトサービス提供手段４３は、デジカメなどの画像データや電話を介した音声での原稿も受け付けることができる。
【００２３】
また、ユーザ５０Ａ及び５０Ｂは、例えば、プリントサービスの提供を待つ間、インターネット３２へ接続することも可能であり、また、プリントサービスを受けるための電子データをインターネットメール又は自分で管理しているウェブ上の格納スペースから取り出してプリントサービスの提供を受けることもできる。
【００２４】
さらに、ユーザ５０Ａ及び５０Ｂは、データ格納スペースへのデータの格納及び取り出しを自由に行うことができるので、勿論、これに格納された電子データのプリント及びリライトサービスを受けることができる。
【００２５】
なお、上述した実施形態は、個人の会員であるユーザ５０Ａ及び５０Ｂについて説明したが、法人会員からのプリント出力、例えば、少量のビジネス文書、記念日新聞、号外等の受付を行うものである。この場合、電子データを受け付け、必要に応じてリライトし、出力した印刷物を所定の場所へ届けるというサービスを提供する。
【００２６】
【発明の効果】
以上説明したように、本発明によると、外出先で作成した電子データなどを容易にプリントすることができ、且つ受け付けた電子データの形式を整えたりするリライトサービスが提供される。
【図面の簡単な説明】
【図１】本発明の一実施形態に係るネットワークサービスシステムを概念的に示す図である。
【符号の説明】
１０，２０  サービス提供ポイント
１１，２１  無線ＬＡＮターミナル
１２，２２  ＬＡＮ
１３，２３  プリンタ
３１  ＶＰＮ
４０  会員受付センタ
５０Ａ，５０Ｂ  ユーザ
５１Ａ，５１Ｂ  無線ＬＡＮ
【図１】
2004171112.tif 000003